(57)【特許請求の範囲】
【請求項１】
金属製のチップ本体の前端に内向きの前端縁部を設け、前記前端縁部の後方のチップ本体内面にボール受け座用の複数の内方突出部を内方への押圧変形により設け、前記前端縁部と前記内方突出部との間で回転可能にボールを抱持し、前記内方突出部の相互間に、中心部から径方向外方に放射状に延びるインキ流出間隙を形成し、前記インキ流出間隙に、ボールを前方に付勢し且つボールを前端縁部の内面に密接させるロッド部を遊挿させてなるボールペンであって、
前記ボール受け座用の複数の内方突出部を第１の内方突出部とし、前記第１の内方突出部より後方のチップ本体内面に複数の第２の内方突出部を設け、前記第２の内方突出部の相互間に中心部から径方向外方に放射状に延びるインキ流出間隙を形成し、前記第２の内方突出部の相互間のインキ流出間隙に前記ロッド部を遊挿させてなることを特徴とするボールペン。
【請求項２】
前記第１の内方突出部の頂点に接する仮想内接円の直径が、前記ロッド部の直径より大きく設定され、且つ、前記第２の内方突出部の頂点に接する仮想内接円の直径が、前記ロッド部の直径より大きく設定される請求項１記載のボールペン。
【請求項３】
前記第１の内方突出部の相互間の後方に前記第２の内方突出部が位置してなる請求項１または２記載のボールペン。
【請求項４】
前記第１の内方突出部と前記第２の内方突出部とを近接して設けた請求項１乃至３の何れかに記載のボールペン。
【請求項５】
前記第１の内方突出部の後端より後方に前記第２の内方突出部の前端が位置する請求項１乃至４の何れかに記載のボールペン。
【請求項６】
前記第２の内方突出部の頂点に接する仮想内接円の直径が、前記第１の内方突出部の頂点に接する仮想内接円の直径より小さく設定される請求項１乃至５の何れかに記載のボールペン。
【発明の詳細な説明】
【技術分野】
【０００１】
本発明は、ボールペンに関する。
【背景技術】
【０００２】
従来、特許文献１には、金属製のチップ本体の先端に内向きの先端縁部を設け、前記先端縁部の後方のチップ本体内面に複数の内方突出部を内方への押圧変形により設け、前記先端縁部と前記内方突出部との間にボールを回転可能に抱持し、前記内方突出部の相互間に、中心部から径方向外方に放射状に延びるインキ流出間隙を形成し、前記インキ流出間隙に、ボールを前方へ付勢し且つボールを先端縁部の内面に密接させるロッド部を挿通させてなるボールペンであって、前記インキ流出間隙の中心部の仮想内接円の直径を、前記ロッド部の外径より大きく設定するとともに、前記インキ流出間隙の最小寸法を、前記ロッド部の外径より小さく設定したことを特徴とするボールペンが記載されている。
【先行技術文献】
【特許文献】
【０００３】
【特許文献１】特開２００３−１３６８７７号公報
【発明の概要】
【発明が解決しようとする課題】
【０００４】
前記特許文献１のボールペンは、ロッド部がインキ流出間隙の周縁端部の近傍に入り込むことを防止できるとしても、ボール受け座のインキ流出間隙が小さくなり、インキ流出性が低下するおそれがある。特に、前記特許文献１のボールペンは、比較的粒子径の大きい顔料を含有するインキを採用した場合、十分なインキ流出性が得られないおそれがある。
【０００５】
本発明は前記従来の問題点を解決するものであって、十分なインキ流出性が得られるとともに、ロッド部を確実にインキ流出間隙の中心部にガイドすることができるボールペンを提供しようとするものである。
【課題を解決するための手段】
【０００６】
＜１＞本願の第１の発明は、金属製のチップ本体２の前端に内向きの前端縁部４を設け、前記前端縁部４の後方のチップ本体２内面にボール受け座用の複数の内方突出部を内方への押圧変形により設け、前記前端縁部４と前記内方突出部との間で回転可能にボール３を抱持し、前記内方突出部の相互間に、中心部から径方向外方に放射状に延びるインキ流出間隙５１を形成し、前記インキ流出間隙５１に、ボール３を前方に付勢し且つボール３を前端縁部４の内面に密接させるロッド部７１を遊挿させてなるボールペンであって、前記ボール受け座用の複数の内方突出部を第１の内方突出部５とし、前記第１の内方突出部５より後方のチップ本体２内面に複数の第２の内方突出部６を設け、前記第２の内方突出部６の相互間に中心部から径方向外方に放射状に延びるインキ流出間隙６１を形成し、前記第２の内方突出部６の相互間のインキ流出間隙６１に前記ロッド部７１を遊挿させてなることを要件とする。
【０００７】
前記第１の発明のボールペン１は、前記第１の内方突出部５より後方のチップ本体２内面に複数の第２の内方突出部６を設け、前記第２の内方突出部６の相互間に中心部から径方向外方に放射状に延びるインキ流出間隙６１を形成し、前記第２の内方突出部６の相互間のインキ流出間隙６１に前記ロッド部７１を遊挿させてなることにより、従来のようなロッド部がインキ流出間隙の周縁端部の近傍に入り込むことを防止するためにボール受け座のインキ流出間隙を小さくする必要がなくなり、前記第１の内方突出部５の相互間のインキ流出間隙５１、及び前記第２の内方突出部６の相互間のインキ流出間隙６１を十分に大きく設定でき、チップ本体２の前端からの十分なインキ流出性が得られるとともに、ロッド部７１を確実にインキ流出間隙５１の中心部（即ちボール受け座の中心部）にガイドすることができる。
【０００８】
＜２＞本願の第２の発明のボールペン１は、前記第１の発明のボールペン１において、前記第１の内方突出部５の頂点に接する仮想内接円の直径Ｙが、前記ロッド部７１の直径Ｘより大きく設定され、且つ、前記第２の内方突出部６の頂点に接する仮想内接円の直径Ｚが、前記ロッド部７１の直径Ｘより大きく設定されることを要件とする。
【０００９】
前記第２の発明のボールペン１は、前記第１の内方突出部５の頂点に接する仮想内接円の直径Ｙが、前記ロッド部７１の直径Ｘより大きく設定され、且つ、前記第２の内方突出部６の頂点に接する仮想内接円の直径Ｚが、前記ロッド部７１の直径Ｘより大きく設定されることにより、ロッド部７１を、第１の内方突出部５のインキ流出間隙５１の中心部と、第２の内方突出部６のインキ流出間隙６１の中心部とに確実に遊挿配置することができる。前記ロッド部７１の横断面形状は、円形状、楕円形状、多角形状等のいずれであってもよい。前記ロッド部７１の直径Ｘとは、ロッド部７１の外径の最大値をいう。前記ロッド部７１とは、それ自体が撓んだり圧縮変形したりしてもよいし、その後端にコイル部またはゴム等の弾性部材を配設してもよい。
【００１０】
＜３＞本願の第３の発明のボールペン１は、前記第１または第２の発明のボールペン１において、前記第１の内方突出部５の相互間の後方に前記第２の内方突出部６が位置してなることを要件とする。
【００１１】
前記第３の発明のボールペン１は、前記第１の内方突出部５の相互間の後方に前記第２の内方突出部６が位置してなることにより、より一層、前記第１の内方突出部５の相互間のインキ流出間隙５１、及び前記第２の内方突出部６の相互間のインキ流出間隙６１を十分に大きく設定でき、チップ本体２の前端からの十分なインキ流出性が得られるとともに、ロッド部７１を確実にインキ流出間隙５１の中心部にガイドすることができる。
【００１２】
＜４＞本願の第４の発明のボールペン１は、前記第１乃至第３の発明のボールペン１において、前記第１の内方突出部５と前記第２の内方突出部６とを近接して設けたことを要件とする。
【００１３】
前記第４の発明のボールペン１は、第１の内方突出部５と第２の内方突出部６とを近接して設けたことにより、ロッド部７１を、より一層確実にインキ流出間隙５１の中心部にガイドすることができる。
【００１４】
＜５＞本願の第５の発明のボールペン１は、前記第１乃至第４の発明のボールペン１において、前記第１の内方突出部５の後端より後方に前記第２の内方突出部６の前端が位置することを要件とする。
【００１５】
前記第５の発明のボールペン１は、第１の内方突出部５の後端より後方に第２の内方突出部６の前端が位置することにより、第１の内方突出部５と第２の内方突出部６とが互いに影響し合うことがない。その結果、第１の内方突出部５及び第２の内方突出部６の各々の適正な形状を得る。もし、第１の内方突出部５の後端よりも前方に第２の突出部６の前端が位置する場合、第１の内方突出部５と第２の内方突出部６とが互いに影響し合い、第１の内方突出部５及び第２の内方突出部６の各々の適正な形状が得られないおそれがある。また、前記第５の発明のボールペン１は、第４の発明のように第１の内方突出部５と第２の内方突出部６とを近接して設けた場合でも、第２の突出部６のインキ流出間隙６１から第１の内方突出部５のインキ流出間隙５１へのインキ流通性が低下するおそれがない。
【００１６】
＜６＞本願の第６の発明のボールペン１は、前記第１乃至第５の発明のボールペン１において、前記第２の内方突出部６の頂点に接する仮想内接円の直径が、前記第１の内方突出部５の頂点に接する仮想内接円の直径より小さく設定されることを要件とする。
【００１７】
前記第６の発明のボールペン１は、第２の内方突出部６の頂点に接する仮想内接円の直径が、第１の内方突出部５の頂点に接する仮想内接円の直径より小さく設定されることにより、ロッド部７１を第２の内方突出部６によって、より一層確実に、第１の内方突出部５の相互間のインキ流出間隙５１の中心部にガイドすることができる。
【発明の効果】
【００１８】
本発明のボールペンは、十分なインキ流出性が得られるとともに、ロッド部を確実にインキ流出間隙の中心部にガイドすることができる。
【図面の簡単な説明】
【００１９】
【図１】本発明の第１の実施の形態のボールペンの要部拡大縦断面図である。
【図２】図１のＡ−Ａ線断面図である。
【図３】図１のＢ−Ｂ線断面図である。
【図４】図１のＣ−Ｃ線矢視断面図である。
【図５】本発明の第１・第２の実施の形態のボールペンの縦断面図である。
【図６】図５の要部拡大断面図である。
【図７】本発明の第２の実施の形態のボールペンの要部拡大縦断面図である。
【図８】図７のＤ−Ｄ線断面図である。
【図９】図７のＥ−Ｅ線断面図である。
【図１０】図７のＦ−Ｆ線矢視断面図である。
【図１１】本発明の第３の実施の形態のボールペンの要部拡大縦断面図である。
【図１２】図１１のＧ−Ｇ線断面図である。
【図１３】図１１のＨ−Ｈ線断面図である。
【図１４】図１１のＩ−Ｉ線矢視断面図である。
【図１５】本発明の第３の実施の形態のボールペンの縦断面図である。
【図１６】図１５の要部拡大断面図である。
【発明を実施するための形態】
【００２０】
＜第１の実施の形態＞
図１乃至図６に本発明の第１の実施の形態を示す。
本実施の形態のボールペン１は、チップ本体２と、該チップ本体２の後端部を保持するホルダー８と、該ホルダー８の後端部が圧入固着されるインキ収容管９と、該チップ本体２内及びホルダー８内に収容されるスプリング７と、インキ収容管９の後端開口部に取り付けられる尾栓１０とからなる。前記インキ収容管９内には、インキ９１と、該インキ９１の消費に伴い前進する追従体９２（例えば高粘度流体と固形物）とが収容される。
【００２１】
前記スプリング７は、前部のロッド部７１と、後部のコイル部７２とが一体に連設されてなる。前記スプリング７は、ステンレス鋼製線材により形成される。
【００２２】
前記チップ本体２は、前端にボール３を回転可能に抱持した金属製（例えばステンレス鋼製）の筒体からなる。前記チップ本体２の前端部には、カシメ変形により内向きの前端縁部４と、内方への押圧変形により形成した複数の第１の内方突出部５よりなるボール受け座とが形成される。前記前端縁部４とボール受け座とによって、ボール３が回転可能且つ前後に移動可能に抱持される。
【００２３】
前記第１の内方突出部５より後方のチップ本体２内面には、複数の第２の内方突出部６が内方への押圧変形により形成される。前記第１の内方突出部５の個数（例えば３個）と第２の内方突出部６の設ける個数（例えば３個）は同数である。
【００２４】
前記スプリング７のロッド部７１が、チップ本体２の後端開口部より前方に挿入され、最初に、第２の内方突出部６の相互間のインキ流出間隙６１に挿通され、次に、第１の内方突出部５の相互間のインキ流出間隙５１に挿通される。
【００２５】
第１の内方突出部５の相互間の軸方向後方の延長線上のチップ本体２内面には、第２の内方突出部６が位置し、第２の内方突出部６の相互間の軸方向前方の延長線上のチップ本体２内面には、第１の内方突出部５が位置する。即ち、前記チップ本体２から仮想的にボール３を除いた状態でチップ本体２の前端開口部から第１の内方突出部５を視認したとき、第１の内方突出部５の相互間に第２の内方突出部６が位置する（図４参照）。それにより、前記第１の内方突出部５の相互間のインキ流出間隙５１、及び前記第２の内方突出部６の相互間のインキ流出間隙６１を十分に大きく設定でき、チップ本体２の前端からの十分なインキ流出性が得られるとともに、ロッド部７１を確実にインキ流出間隙５１の中心部にガイドすることができ、また、筆記時、ロッド部７１がインキ流出間隙５１の中心部に維持され、安定したボール３の回転が得られる。
【００２６】
前記第１の内方突出部５の頂点に接する仮想内接円の直径Ｙが、前記ロッド部７１の直径Ｘより大きく設定される。さらに、前記第２の内方突出部６の頂点に接する仮想内接円の直径Ｚが、前記ロッド部７１の直径Ｘより大きく設定される。それにより、ロッド部７１を、第１の内方突出部５のインキ流出間隙５１の中心部と、第２の内方突出部６のインキ流出間隙６１の中心部とに確実に遊挿配置することができる。
【００２７】
第１の内方突出部５と第２の内方突出部６とが近接して設けられる。それにより、ロッド部７１を、より一層確実にインキ流出間隙５１の中心部にガイドすることができる。
【００２８】
また、第１の内方突出部５の後端より後方に第２の突出部６の前端が位置する。それにより、第１の内方突出部５と第２の内方突出部６とが互いに影響し合うことがない。その結果、第１の内方突出部５及び第２の内方突出部６の各々の適正な形状を得る。さらに、第１の内方突出部５の後端より後方に第２の突出部６の前端が位置することにより、第１の内方突出部５と第２の内方突出部６とを近接して設けた場合でも、第２の突出部６のインキ流出間隙６１から第１の内方突出部５のインキ流出間隙５１へのインキ流通性が低下するおそれがない。
【００２９】
＜第２の実施の形態＞
図７乃至図１０、図５、図６に本発明の第２の実施の形態を示す。（図５及び図６は第１の実施の形態と共通）
【００３０】
本実施の形態のボールペン１は、チップ本体２と、該チップ本体２の後端部を保持するホルダー８と、該ホルダー８の後端部が圧入固着されるインキ収容管９と、該チップ本体２内及びホルダー８内に収容されるスプリング７と、インキ収容管９の後端開口部に取り付けられる尾栓１０とからなる。前記インキ収容管９内には、インキ９１と、該インキ９１の消費に伴い前進する追従体９２（例えば高粘度流体と固形物）とが収容される。
【００３１】
前記スプリング７は、前部のロッド部７１と、後部のコイル部７２とが一体に連設されてなる。前記スプリング７は、ステンレス鋼製線材により形成される。
【００３２】
前記チップ本体２は、前端にボール３を回転可能に抱持した金属製（例えばステンレス鋼製）の筒体からなる。前記チップ本体２の前端部には、カシメ変形により内向きの前端縁部４と、内方への押圧変形により形成した複数の第１の内方突出部５よりなるボール受け座とが形成される。前記前端縁部４とボール受け座とによって、ボール３が回転可能且つ前後に移動可能に抱持される。
【００３３】
前記第１の内方突出部５より後方のチップ本体２内面には、複数の第２の内方突出部６が内方への押圧変形により形成される。前記第１の内方突出部５の個数（例えば３個）と第２の内方突出部６の設ける個数（例えば３個）は同数である。
【００３４】
前記スプリング７のロッド部７１が、チップ本体２の後端開口部より前方に挿入され、最初に、第２の内方突出部６の相互間のインキ流出間隙６１に挿通され、次に、第１の内方突出部５の相互間のインキ流出間隙５１に挿通される。
【００３５】
第１の内方突出部５の相互間の軸方向後方の延長線上のチップ本体２内面には、第２の内方突出部６が位置し、第２の内方突出部６の相互間の軸方向前方の延長線上のチップ本体２内面には、第１の内方突出部５が位置する。即ち、前記チップ本体２から仮想的にボール３を除いた状態でチップ本体２の前端開口部から第１の内方突出部５を視認したとき、第１の内方突出部５の相互間に第２の内方突出部６が位置する（図１０参照）。それにより、前記第１の内方突出部５の相互間のインキ流出間隙５１、及び前記第２の内方突出部６の相互間のインキ流出間隙６１を十分に大きく設定でき、チップ本体２の前端からの十分なインキ流出性が得られるとともに、ロッド部７１を確実にインキ流出間隙５１の中心部にガイドすることができ、また、筆記時、ロッド部７１がインキ流出間隙５１の中心部に維持され、安定したボール３の回転が得られる。
【００３６】
前記第１の内方突出部５の頂点に接する仮想内接円の直径Ｙが、前記ロッド部７１の直径Ｘより大きく設定される（即ち、Ｘ＜Ｙの関係を示す）。さらに、前記第２の内方突出部６の頂点に接する仮想内接円の直径Ｚが、前記ロッド部７１の直径Ｘより大きく設定される（即ち、Ｘ＜Ｚの関係を示す）。それにより、ロッド部７１を、第１の内方突出部５のインキ流出間隙５１の中心部と、第２の内方突出部６のインキ流出間隙６１の中心部とに確実に遊挿配置することができる。
【００３７】
第１の内方突出部５と第２の内方突出部６とが近接して設けられる。それにより、ロッド部７１を、より一層確実にインキ流出間隙５１の中心部にガイドすることができる。
【００３８】
また、第１の内方突出部５の後端より後方に第２の突出部６の前端が位置する。それにより、第１の内方突出部５と第２の内方突出部６とが互いに影響し合うことがない。その結果、第１の内方突出部５及び第２の内方突出部６の各々の適正な形状を得る。さらに、第１の内方突出部５の後端より後方に第２の突出部６の前端が位置することにより、第１の内方突出部５と第２の内方突出部６とを近接して設けた場合でも、第２の突出部６のインキ流出間隙６１から第１の内方突出部５のインキ流出間隙５１へのインキ流通性が低下するおそれがない。
【００３９】
前記第２の内方突出部６の頂点に接する仮想内接円の直径Ｚが、前記第１の内方突出部５の頂点に接する仮想内接円の直径Ｙより小さく設定される（即ち、Ｙ＞Ｚの関係を示す）。それにより、ロッド部７１を第２の内方突出部６によって、より一層確実に、第１の内方突出部５の相互間のインキ流出間隙５１の中心部にガイドすることができる。
【００４０】
＜第３の実施の形態＞
図１１乃至図１６に本発明の第３の実施の形態を示す。
【００４１】
本実施の形態のボールペン１は、チップ本体２と、該チップ本体２の後端部を保持するホルダー８と、該ホルダー８の後端部が圧入固着されるインキ収容管９と、該チップ本体２内及びホルダー８内に収容されるスプリング７と、インキ収容管９の後端開口部に取り付けられる尾栓１０とからなる。前記インキ収容管９内には、インキ９１と、該インキ９１の消費に伴い前進する追従体９２（例えば高粘度流体と固形物）とが収容される。
【００４２】
前記スプリング７は、前部のロッド部７１と、後部のコイル部７２とが一体に連設されてなる。前記スプリング７は、ステンレス鋼製線材により形成される。
【００４３】
前記チップ本体２は、前端にボール３を回転可能に抱持した金属製（例えばステンレス鋼製）の筒体からなる。前記チップ本体２の前端部には、カシメ変形により内向きの前端縁部４と、内方への押圧変形により形成した複数の第１の内方突出部５よりなるボール受け座とが形成される。前記前端縁部４とボール受け座とによって、ボール３が回転可能且つ前後に移動可能に抱持される。
【００４４】
前記第１の内方突出部５より後方のチップ本体２内面には、複数の第２の内方突出部６が内方への押圧変形により形成される。前記第１の内方突出部５の個数（例えば４個）と第２の内方突出部６の設ける個数（例えば４個）は同数である。
【００４５】
前記スプリング７のロッド部７１が、チップ本体２の後端開口部より前方に挿入され、最初に、第２の内方突出部６の相互間のインキ流出間隙６１に挿通され、次に、第１の内方突出部５の相互間のインキ流出間隙５１に挿通される。
【００４６】
第１の内方突出部５の相互間の軸方向後方の延長線上のチップ本体２内面には、第２の内方突出部６が位置し、第２の内方突出部６の相互間の軸方向前方の延長線上のチップ本体２内面には、第１の内方突出部５が位置する。即ち、前記チップ本体２から仮想的にボール３を除いた状態でチップ本体２の前端開口部から第１の内方突出部５を視認したとき、第１の内方突出部５の相互間に第２の内方突出部６が位置する（図１４参照）。それにより、前記第１の内方突出部５の相互間のインキ流出間隙５１、及び前記第２の内方突出部６の相互間のインキ流出間隙６１を十分に大きく設定でき、チップ本体２の前端からの十分なインキ流出性が得られるとともに、ロッド部７１を確実にインキ流出間隙５１の中心部にガイドすることができ、また、筆記時、ロッド部７１がインキ流出間隙５１の中心部に維持され、安定したボール３の回転が得られる。
【００４７】
前記第１の内方突出部５の頂点に接する仮想内接円の直径Ｙが、前記ロッド部７１の直径Ｘより大きく設定される（即ち、Ｘ＜Ｙの関係を示す）。さらに、前記第２の内方突出部６の頂点に接する仮想内接円の直径Ｚが、前記ロッド部７１の直径Ｘより大きく設定される（即ち、Ｘ＜Ｚの関係を示す）。それにより、ロッド部７１を、第１の内方突出部５のインキ流出間隙５１の中心部と、第２の内方突出部６のインキ流出間隙６１の中心部とに確実に遊挿配置することができる。
【００４８】
第１の内方突出部５と第２の内方突出部６とが近接して設けられる。それにより、ロッド部７１を、より一層確実にインキ流出間隙５１の中心部にガイドすることができる。
【００４９】
また、第１の内方突出部５の後端より後方に第２の突出部６の前端が位置する。それにより、第１の内方突出部５と第２の内方突出部６とが互いに影響し合うことがない。その結果、第１の内方突出部５及び第２の内方突出部６の各々の適正な形状を得る。さらに、第１の内方突出部５の後端より後方に第２の突出部６の前端が位置することにより、第１の内方突出部５と第２の内方突出部６とを近接して設けた場合でも、第２の突出部６のインキ流出間隙６１から第１の内方突出部５のインキ流出間隙５１へのインキ流通性が低下するおそれがない。
【００５０】
前記第２の内方突出部６の頂点に接する仮想内接円の直径Ｚが、前記第１の内方突出部５の頂点に接する仮想内接円の直径Ｙより小さく設定される（即ち、Ｙ＞Ｚの関係を示す）。それにより、ロッド部７１を第２の内方突出部６によって、より一層確実に、第１の内方突出部５の相互間のインキ流出間隙５１の中心部にガイドすることができる。
【符号の説明】
【００５１】
１  ボールペン
２  チップ本体
３  ボール
４  前端縁部
５  第１の内方突出部
５１  インキ流出間隙
６  第２の内方突出部
６１  インキ流出間隙
７  スプリング
７１ ロッド部
７２  コイル部
８  ホルダー
９  インキ収容管
９１  インキ
９２  追従体
１０  尾栓
Ｘ  ロッド部の直径
Ｙ  第１の内方突出部の頂点に接する仮想内接円の直径
Ｚ  第２の内方突出部の頂点に接する仮想内接円の直径
【図１】
0005576759.tif 000002
【図２】
0005576759.tif 000003
【図３】
0005576759.tif 000004
【図４】
0005576759.tif 000005
【図５】
0005576759.tif 000006
【図６】
0005576759.tif 000007
【図７】
0005576759.tif 000008
【図８】
0005576759.tif 000009
【図９】
0005576759.tif 000010
【図１０】
0005576759.tif 000011
【図１１】
0005576759.tif 000012
【図１２】
0005576759.tif 000013
【図１３】
0005576759.tif 000014
【図１４】
0005576759.tif 000015
【図１５】
0005576759.tif 000016
【図１６】
0005576759.tif 000017